【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
周波数ダウンコンバートのために第１の受信機によって使用される第１のＬＯ信号を生成するように構成可能な第１の局部発振器（ＬＯ）生成器と、
第１の動作モードにおいて周波数ダウンコンバートのために第２の受信機によって使用されおよび第２の動作モードにおいて前記第１の受信機に関するテスト信号を生成するために使用される第２のＬＯ信号を生成するように構成可能な第２のＬＯ生成器と、
ここにおいて、前記第２のＬＯ生成器は、前記テスト信号を複数の周波数において取得するために前記第２のＬＯ信号を前記複数の周波数で生成するように構成可能である、
を備える装置。
【請求項２】
前記第２のＬＯ生成器は、前記第２の動作モードの第１の構成において前記第１の受信機に関する前記テスト信号を生成するために使用される前記第２のＬＯ信号を生成するように構成可能であり、および前記第１のＬＯ生成器は、前記第２の動作モードの第２の構成において前記第２の受信機に関する第２のテスト信号を生成するために使用される前記第１のＬＯ信号を生成するように構成可能である、請求項１に記載の装置。
【請求項３】
前記第１の受信機は、少なくとも１つのキャリアの第１の組に関する周波数ダウンコンバートを実行するように構成可能であり、および前記第２の受信機は、少なくとも１つのキャリアの第２の組に関する周波数ダウンコンバートを実行するように構成可能である、請求項１に記載の装置。
【請求項４】
前記第２の受信機は送信機に関するフィードバック受信機であり、および前記第２のＬＯ信号は前記第１の受信機にフロントエンド回路を介して提供される、請求項１に記載の装置。
【請求項５】
変調信号と前記第２のＬＯ信号とを受け取るように、および前記変調信号に基づいて振幅変調を有する前記テスト信号を提供するように、構成可能なスイッチをさらに備える、請求項１に記載の装置。
【請求項６】
第１の入力無線周波数（ＲＦ）信号を受け取りおよび前記第１の受信機に第１の増幅されたＲＦ信号を提供するように、構成可能な第１の低雑音増幅器（ＬＮＡ）と、
第２の入力ＲＦ信号を受け取りおよび前記第２の受信機に第２の増幅されたＲＦ信号を提供するように、構成可能な第２のＬＮＡと、
前記第１のＬＮＡと前記第２のＬＮＡの間に結合され、および前記第２の動作モードにおいて前記テスト信号を渡すように構成可能なスイッチと、をさらに備える、請求項１に記載の装置。
【請求項７】
前記スイッチは、前記第１のＬＮＡと前記第２のＬＮＡの間に結合されたトランジスタを備え、または、
前記スイッチは、
前記第１のＬＮＡと中間ノードの間に結合された第１のトランジスタと、
前記中間ノードと前記第２のＬＮＡの間に結合された第２のトランジスタと、
前記中間ノードと回路の接地の間に結合された第３のトランジスタと、を備える、請求項６に記載の装置。
【請求項８】
低雑音増幅器（ＬＮＡ）であって、
入力無線周波数（ＲＦ）信号を受け取りおよび増幅するように構成可能なゲイン回路と、
前記ゲイン回路に結合され、および前記第１の受信機に第１の増幅されたＲＦ信号を提供するように構成可能な第１のカスケードトランジスタと、
前記ゲイン回路に結合され、および前記第２の受信機に第２の増幅されたＲＦ信号を提供するように構成可能な第２のカスケードトランジスタ、前記第１および第２のカスケードトランジスタは前記第２の動作モードにおいて前記第１の受信機に前記テスト信号を渡すようにＯＮに切替えられる、と、
を備えた低雑音増幅器、をさらに備える、請求項１に記載の装置。
【請求項９】
前記ＬＮＡは、
第２の入力ＲＦ信号を受け取りおよび増幅するように構成可能な第２のゲイン回路と、
前記第２のゲイン回路に結合されおよび前記第１の受信機に第３の増幅されたＲＦ信号を提供するように構成可能な第３のカスケードトランジスタと、
前記第２のゲイン回路に結合されおよび前記第２の受信機に第４の増幅されたＲＦ信号を提供するように構成可能な第４のカスケードトランジスタと、をさらに備える、請求項８に記載の装置。
【請求項１０】
前記第２の受信機は、前記テスト信号を生成するために使用される中間ＬＯ信号を取得するために、前記第１の動作モードにおいて前記第２のＬＯ信号によって入力無線周波数（ＲＦ）信号をダウンコンバートするようにおよび前記第２の動作モードにおいて前記第２のＬＯ信号によって直流（ＤＣ）電圧をアップコンバートするように構成可能なミキサを備える、請求項１に記載の装置。
【請求項１１】
前記第１のＬＯ生成器は、第１の周波数で前記第１のＬＯ信号を生成するように構成可能であり、および前記第２のＬＯ生成器は前記第１の周波数からシステムバンド幅の半分未満の第２の周波数で前記第２のＬＯ信号を生成するように構成可能である、請求項１に記載の装置。
【請求項１２】
前記第１のＬＯ生成器は、第１の周波数で前記第１のＬＯ信号を生成するように構成可能であり、および前記第２のＬＯ生成器は、前記第１の周波数からシステムバンド幅の半分を超える第２の周波数で前記第２のＬＯ信号を生成するように構成可能である、請求項１に記載の装置。
【請求項１３】
周波数ダウンコンバートのために第１の受信機によって使用するために第１のＬＯ生成器によって第１の局部発振器（ＬＯ）信号を生成することと、
第１の動作モードにおける周波数ダウンコンバートのために第２の受信機によって使用するために第２のＬＯ生成器によって第２のＬＯ信号を生成することと、
第２の動作モードにおいて前記第２のＬＯ信号に基づいて前記第１の受信機に関するテスト信号を生成することと、
ここにおいて、前記第２のＬＯ生成器は、前記テスト信号を複数の周波数において取得するために前記第２のＬＯ信号を前記複数の周波数で生成するように構成可能である、
を備える方法。
【請求項１４】
前記テスト信号を生成することは、変調信号によって前記第２のＬＯ信号を振幅変調することによって前記テスト信号を生成することを備える、請求項１３に記載の方法。
【請求項１５】
前記テスト信号を生成することは、ワイヤレスデバイスの待機モードの間に前記テスト信号を生成することを備える、請求項１３に記載の方法。
【手続補正２】
【補正対象書類名】明細書
【補正対象項目名】０１５８
【補正方法】変更
【補正の内容】
【０１５８】
[00168]本開示に関する上の記述は当業者による本開示の実施または使用を可能にするために提供されている。当業者には本開示に対する様々な修正が容易に明らかとなろう、また本明細書に規定した一般的な原理に対して本開示の趣旨域を逸脱することなく他の変形形態に適用され得る。したがって本開示は、本明細書に記載した例および設計に限定されるものではなく、本明細書に開示した原理および新規の特徴と矛盾しない最も広い趣旨域が付与されるべきである。
以下に、本願出願の当初の特許請求の範囲に記載された発明を付記する。
［Ｃ１］
周波数ダウンコンバートのために第１の受信機によって使用される第１のＬＯ信号を生成するように構成可能な第１の局部発振器（ＬＯ）生成器と、
第１の動作モードにおいて周波数ダウンコンバートのために第２の受信機によって使用されおよび第２の動作モードにおいて前記第１の受信機に関するテスト信号を生成するために使用される第２のＬＯ信号を生成するように構成可能な第２のＬＯ生成器と、を備える装置。
［Ｃ２］
前記第２のＬＯ生成器は、前記第２の動作モードの第１の構成において前記第１の受信機に関する前記テスト信号を生成するために使用される前記第２のＬＯ信号を生成するように構成可能であり、および前記第１のＬＯ生成器は、前記第２の動作モードの第２の構成において前記第２の受信機に関する第２のテスト信号を生成するために使用される前記第１のＬＯ信号を生成するように構成可能である、Ｃ１に記載の装置。
［Ｃ３］
前記第１の受信機は、少なくとも１つのキャリアの第１の組に関する周波数ダウンコンバートを実行するように構成可能であり、および前記第２の受信機は、少なくとも１つのキャリアの第２の組に関する周波数ダウンコンバートを実行するように構成可能である、Ｃ１に記載の装置。
［Ｃ４］
前記第２の受信機は送信機に関するフィードバック受信機であり、および前記第２のＬＯ信号は前記第１の受信機にフロントエンド回路を介して提供される、Ｃ１に記載の装置。
［Ｃ５］
変調信号と前記第２のＬＯ信号とを受け取るように、および前記変調信号に基づいて振幅変調を有する前記テスト信号を提供するように、構成可能なスイッチをさらに備える、Ｃ１に記載の装置。
［Ｃ６］
第１の入力無線周波数（ＲＦ）信号を受け取りおよび前記第１の受信機に第１の増幅されたＲＦ信号を提供するように、構成可能な第１の低雑音増幅器（ＬＮＡ）と、
第２の入力ＲＦ信号を受け取りおよび前記第２の受信機に第２の増幅されたＲＦ信号を提供するように、構成可能な第２のＬＮＡと、
前記第１のＬＮＡと前記第２のＬＮＡの間に結合され、および前記第２の動作モードにおいて前記テスト信号を渡すように構成可能なスイッチと、をさらに備える、Ｃ１に記載の装置。
［Ｃ７］
前記スイッチは、前記第１のＬＮＡと前記第２のＬＮＡの間に結合されたトランジスタを備える、Ｃ６に記載の装置。
［Ｃ８］
前記スイッチは、
前記第１のＬＮＡと中間ノードの間に結合された第１のトランジスタと、
前記中間ノードと前記第２のＬＮＡの間に結合された第２のトランジスタと、
前記中間ノードと回路の接地の間に結合された第３のトランジスタと、を備える、Ｃ６に記載の装置。
［Ｃ９］
低雑音増幅器（ＬＮＡ）であって、
入力無線周波数（ＲＦ）信号を受け取りおよび増幅するように構成可能なゲイン回路と、
前記ゲイン回路に結合され、および前記第１の受信機に第１の増幅されたＲＦ信号を提供するように構成可能な第１のカスケードトランジスタと、
前記ゲイン回路に結合され、および前記第２の受信機に第２の増幅されたＲＦ信号を提供するように構成可能な第２のカスケードトランジスタ、前記第１および第２のカスケードトランジスタは前記第２の動作モードにおいて前記第１の受信機に前記テスト信号を渡すようにＯＮに切替えられる、と、
を備えた低雑音増幅器、をさらに備える、Ｃ１に記載の装置。
［Ｃ１０］
前記ＬＮＡは、
第２の入力ＲＦ信号を受け取りおよび増幅するように構成可能な第２のゲイン回路と、
前記第２のゲイン回路に結合されおよび前記第１の受信機に第３の増幅されたＲＦ信号を提供するように構成可能な第３のカスケードトランジスタと、
前記第２のゲイン回路に結合されおよび前記第２の受信機に第４の増幅されたＲＦ信号を提供するように構成可能な第４のカスケードトランジスタと、をさらに備える、Ｃ９に記載の装置。
［Ｃ１１］
前記第２の受信機は、前記テスト信号を生成するために使用される中間ＬＯ信号を取得するために、前記第１の動作モードにおいて前記第２のＬＯ信号によって入力無線周波数（ＲＦ）信号をダウンコンバートするようにおよび前記第２の動作モードにおいて前記第２のＬＯ信号によって直流（ＤＣ）電圧をアップコンバートするように構成可能なミキサを備える、Ｃ１に記載の装置。
［Ｃ１２］
前記第１のＬＯ生成器は、第１の周波数で前記第１のＬＯ信号を生成するように構成可能であり、および前記第２のＬＯ生成器は前記第１の周波数からシステムバンド幅の半分未満の第２の周波数で前記第２のＬＯ信号を生成するように構成可能である、Ｃ１に記載の装置。
［Ｃ１３］
前記第１のＬＯ生成器は、第１の周波数で前記第１のＬＯ信号を生成するように構成可能であり、および前記第２のＬＯ生成器は、前記第１の周波数からシステムバンド幅の半分を超える第２の周波数で前記第２のＬＯ信号を生成するように構成可能である、Ｃ１に記載の装置。
［Ｃ１４］
前記第２のＬＯ生成器は、前記テスト信号を複数の周波数において取得するために前記第２のＬＯ信号を前記複数の周波数で生成するように構成可能である、Ｃ１に記載の装置。
［Ｃ１５］
周波数ダウンコンバートのために第１の受信機によって使用するために第１のＬＯ生成器によって第１の局部発振器（ＬＯ）信号を生成することと、
第１の動作モードにおける周波数ダウンコンバートのために第２の受信機によって使用するために第２のＬＯ生成器によって第２のＬＯ信号を生成することと、
第２の動作モードにおいて前記第２のＬＯ信号に基づいて前記第１の受信機に関するテスト信号を生成することと、を備える方法。
［Ｃ１６］
前記テスト信号を生成することは、変調信号によって前記第２のＬＯ信号を振幅変調することによって前記テスト信号を生成することを備える、Ｃ１５に記載の方法。
［Ｃ１７］
前記テスト信号を生成することは、ワイヤレスデバイスの待機モードの間に前記テスト信号を生成することを備える、Ｃ１５に記載の方法。
［Ｃ１８］
周波数ダウンコンバートのために第１の受信機によって使用するために第１の局部発振器（ＬＯ）信号を生成するための手段と、
第１の動作モードにおける周波数ダウンコンバートのために第２の受信機によって使用するために第２のＬＯ信号を生成するための手段と、
第２の動作モードにおいて前記第２のＬＯ信号に基づいて前記第１の受信機に関するテスト信号を生成するための手段と、を備える装置。
［Ｃ１９］
前記テスト信号を生成するための前記手段は、変調信号で前記第２のＬＯ信号を振幅変調することによって前記テスト信号を生成するための手段を備える、Ｃ１８に記載の装置。
［Ｃ２０］
テスト信号を取得するために使用されるＬＯ信号を生成するように構成可能な局部発振器（ＬＯ）生成器と、
前記テスト信号と受信された無線周波数（ＲＦ）信号とを受け取るようにおよび前記受信されたＲＦ信号に基づいて生成されならびに前記テスト信号を備えた入力ＲＦ信号を提供するように構成可能なフロントエンド回路と、
前記フロントエンド回路に結合されおよび前記入力ＲＦ信号を受信するように構成可能な受信機、受信経路は前記テスト信号に基づいて決定されるゲインを有する前記受信機および前記フロントエンド回路に基づいて形成される、と、を備える装置。
［Ｃ２１］
前記フロントエンド回路は、前記受信されたＲＦ信号を受け取る第１のポートと、前記テスト信号を受け取る第２のポートと、結合されたＲＦ信号を提供する第３のポートと、を有する方向性結合器、前記入力ＲＦ信号は前記結合されたＲＦ信号に基づいて生成される、を備えるＣ２０に記載の装置。
［Ｃ２２］
前記フロントエンド回路に結合され、および前記受信されたＲＦ信号に基づいて生成されならびに前記テスト信号を備えた第２の入力ＲＦ信号を受け取るように構成可能な第２の受信機、第２の受信経路は前記テスト信号に基づいて決定された第２のゲインを有する前記第２の受信機および前記フロントエンド回路に基づいて形成される、をさらに備えるＣ２０に記載の装置。
［Ｃ２３］
ワイヤレスデバイス上でＬＯ生成器からの局部発振器（ＬＯ）信号に基づいてテスト信号を生成することと、
前記テスト信号に基づいて前記ワイヤレスデバイスにおける少なくとも１つの受信経路の少なくとも１つのゲインを決定することと、を備える方法。
［Ｃ２４］
前記テスト信号を前記ワイヤレスデバイスのフロントエンド回路に加えること、前記少なくとも１つの受信経路の各々は前記フロントエンド回路の少なくとも一部を備える、をさらに備える、Ｃ２３に記載の方法。
［Ｃ２５］
前記少なくとも１つの受信経路は第１の受信経路と第２の受信経路とを備え、前記少なくとも１つのゲインを決定することは、
第１のパワー計測値を取得するために前記第１の受信経路を介する前記テスト信号のパワーを計測することと、
第２のパワー計測値を取得するために前記第２の受信経路を介する前記テスト信号のパワーを計測することと、
前記第１および第２のパワー計測値に基づいて前記第１と前記第２の受信経路の間のデルタゲインを決定することと、を備える、Ｃ２３に記載の方法。
［Ｃ２６］
前記少なくとも１つのゲインを決定することは、
前記ワイヤレスデバイスの外部で生成されるとともに前記ワイヤレスデバイスに加えられる信号に基づいて前記第１の受信経路の第１のゲインを決定することと、
前記第１のゲインおよび前記デルタゲインに基づいて前記第２の受信経路の第２のゲインを決定することと、をさらに備える、Ｃ２５に記載の方法。
［Ｃ２７］
前記ワイヤレスデバイスの外部で生成された信号に基づいて複数の周波数において前記第１の受信経路の第１のゲインを決定することと、
前記テスト信号に基づいて前記複数の周波数において前記第１と第２の受信経路の間のデルタゲインを決定することと、
前記複数の周波数における前記デルタゲインおよび前記第１の受信経路の前記第１のゲインに基づいて前記複数の周波数において前記第２の受信経路の第２のゲインを決定することと、をさらに備える、Ｃ２３に記載の方法。
［Ｃ２８］
周波数にわたる受信経路のゲインの変動を表した情報を保持することと、前記受信経路は前記少なくとも１つの受信経路のうちの１つである、
前記ワイヤレスデバイスの外部で生成されおよび前記ワイヤレスデバイスに加えられる信号に基づいて少なくとも１つの周波数において前記受信経路の前記ゲインを決定することと、
前記少なくとも１つの周波数における前記受信経路の前記ゲインおよび前記保持された情報に基づいて１つまたは複数の追加的な周波数において前記受信経路の前記ゲインを決定することと、をさらに備える、Ｃ２３に記載の方法。